(57)【要約】【課題】従来の仏壇用自動扉開閉構造の、牽引方法を変更する事によって、汎用性を向上させ、仏壇、家具、建材、建具等への汎用可能範囲を拡大できる自動扉開閉構造を提供する。【解決手段】永久磁石のＮ極と、Ｓ極の磁力引力を応用し、この引力によって磁力牽引軸を作り出す事で、それを応用した磁力牽引式自動扉開閉構造を構成する。また、従来の自動扉開閉装置と併用する事によって解決する。【選択図】図１
2008101410.tif 000002
【特許請求の範囲】
【請求項１】
家具、仏壇用折戸と、その天板部分または、棚板部分に永久磁石を可動方式で装着した、磁力牽引式自動扉開閉構造。
【請求項２】
家具、仏壇用引戸と、その天板部分または、棚板部分に永久磁石を可動方式で装着した、磁力牽引式自動扉開閉構造。
【請求項３】
室内用建具扉類と、その天井部分または、床板部分に永久磁石を可動方式で装着した、磁力牽引式自動扉開閉構造。
【発明の詳細な説明】
【技術分野】
【０００１】
この発明は、家具、仏壇、室内建具用 磁力牽引式自動扉開閉構造に関するものである。
この磁力牽引式自動扉開閉構造は、従来の自動扉開閉構造と比較した場合の特徴は、扉へ自動開閉装置からの牽引用部品は、直接連結されていない点にある。従って、永久磁石によって牽引される扉の上下両端は他の部分と接触する事は無く、蝶番(ヒンジ)によって、扉の上下は一定の隙間を保った状態で空間を移動し、滑らかな自動開閉を行う事が出来る。この発明は外観からは構造を予見する事は出来ない。従って、デザイン性を損なう事も無く、構造上の制約等も軽減される。また、従来の自動扉開閉構造と明らかに異なる点は、手動でも簡単に開閉出来る事にある。磁力牽引式なので扉には牽引用シャフトは無く、手動で磁力圏外へ扉を引き出す事により開閉が出来る。特に、停電時等の開閉には利便性を発揮する。さらに、永久磁石の一定の磁力によって扉を引寄せる事により、扉用マグネットキャッチの効果を兼ねる事が出来る。
【背景技術】
【０００２】
従来の、自動扉開閉構造は、自動扉開閉装置側に牽引用アームを、扉に牽引用シャフトを装着し、互いに連結する必要があった。また、天板(天井)や棚板(床板)等には、扉に装着した牽引用シャフトを案内する為の、貫通ガイド溝を加工しなければならなかった。従来の、自動扉開閉構造は主に特殊構造の、仏壇の内部扉用に多く採用されているが、家具、家具調仏壇、一般仏壇、室内建具等への汎用は、貫通ガイド溝の加工が天板(天井)や棚板(床板)等に必要な事等が、意匠デザイン上、違和感があると言う理由により、採用されていない。従って、従来の自動扉開閉構造の普及率は非常に低い。
上記の従来技術の問題点を整理すると、次の通りである。
従来の自動扉開閉構造では、扉に装着した牽引用シャフトの為に、貫通ガイド溝を天板(天井)や棚板(床板)に加工しなければならない事から、特殊構造の仏壇への利用が中心だった。
従来の自動扉開閉構造では、一般扉等への利用は、天板(天井)や棚板(床板)の貫通ガイド溝加工の為に、意匠デザインに違和感があると言う理由によって、実用例は極少数であった。
従来の自動扉開閉構造では、扉の組立や部品の取り付け手順が複雑で面倒だった。
従来の自動扉開閉構造では、扉と自動開閉装置はアームとシャフトで連結されている為、停電時等には手動での開閉は困難だった。
【０００３】
上記の改善策として、牽引される扉の上下両端のいずれかの部分に永久磁石を装着する。自動開閉装置側の牽引アームの先端へ、牽引シャフトに連結された永久磁石を装着する。この両方の永久磁石のＮ極と、Ｓ極の引力によって磁力牽引軸を作り出す事が出来る。また、扉側と自動扉開閉装置側の空間を分離する事が出来る。従って、天板(天井)や棚板(床板)の貫通ガイド溝の加工は不要となる。よって、自動扉開閉装置からの一方向より、非貫通の掘り込みガイド溝を加工する事で改善できる。このガイド溝内を永久磁石が牽引される事によって、扉側に永久磁石の引力を伝える事ができ、永久磁石の引力による磁力牽引が可能となる。
【特許文献１】特開２００３−１１６７０８号公報
【特許文献２】特開２００３−０１００３７号公報
【特許文献３】特開平１１−０４６９７１号公報
【特許文献４】特開平１１−００４７４８号公報
【特許文献５】特開平１０−３１４０１０号公報
【特許文献６】特開平１０−３０４９６７号公報
【発明の開示】
【発明が解決しようとする課題】
【０００４】
そこで、この発明の磁力牽引式自動扉開閉構造は、前記した課題と、問題を以下のような方法によって、解決しようとするものである。
この発明の磁力牽引式自動扉開閉構造は、永久磁石のＮ極と、Ｓ極の互いに引き合う磁力を応用し、自動扉開閉装置と連動している磁石部分は、扉側の磁石部分とは密着による磁力連結はせず、磁力の及ぶ一定の間隔を空け、互いに引き合う磁力を応用した、連動する部分とで構成される。この自動扉開閉装置が、直接牽引する永久磁石と、牽引される扉に装着した永久磁石は、互いに隣りあう方向の２個が、磁力によって引きあうように装着す事で、磁力反発をせずに、円滑な自動開閉をする事ができる。この磁力牽引式自動扉開閉構造においては、扉の外観や本体の外観を見る限り、自動扉開閉構造を予見できない。従って、意匠デザイン面では従来の扉両端のいずれかに有った、扉側の牽引シャフトを意識する事無く、デザイン性は向上する。また、以前のように限られた仏壇の内部扉以外に、格段に汎用性は広範なものとなる。
【発明の効果】
【０００５】
この発明の磁力牽引式自動扉開閉構造では、磁力圏を超えると互いの引力は及ばなくなる事から、自動扉の安全装置としての応用が可能である。従って、家具、仏壇、室内建具用への応用は、安全装置付きのユニバーサルデザインへと汎用性が拡張される。
従来の自動扉開閉構造の大半は、電動方式、油圧方式、エアー方式等が一般的であり、ギヤー、ベルト、ロッド、シャフト等が使用されている。安全装置等の制御はリミットスイッチ、センサー等で制御されている。一定のクッションなどの役割装置は少ない。しかし、この磁力牽引式自動扉開閉構造では、磁力を増減する事によって、引力を調整し磁力によるクッションを作り出す。その磁力の引力が及ぶ距離の限界を超えた時、開放状態となる安全装置が応用可能となる。
【発明を実施するための最良の形態】
【０００６】
この発明の磁力牽引式自動扉開閉構造は、従来の自動扉開閉構造とは異なり、永久磁石のＮ極と、Ｓ極の磁力引力による牽引方式でなる、画期的な磁力牽引式自動扉開閉構造である。この磁力牽引式自動扉開閉構造は、自動扉開閉装置側と、扉側とは、天板(天井)または棚板(床板)にて空間は分離されている。この事によって、構造が外観へ露出する事が無いために、意匠上の制約は軽減され、洗練されたデザインをする事が可能となる。従来の自動扉開閉構造では実現出来なかった表面扉への利用や、引戸等にも応用範囲は拡がる事となる。また、ユニバーサルデザイン室内ドア、引戸建具等への磁力牽引式自動扉開閉構造として応用が可能であり、住宅内各所へ汎用性が拡がる。例えば、手足に障害を持つ人の為に、室内用磁力牽引式自動扉の応用、寝たきりの人のために仏壇礼拝用の磁力牽引式自動扉の応用、住宅内高所扉(天袋)等の磁力牽引式自動扉の応用等ユニット化が可能であり、折戸、引戸、開き扉等への汎用も飛躍的に向上する。
【０００７】
以下、この発明の磁力牽引式自動扉開閉構造を図面に基づき説明する。
図１は、磁力牽引式自動扉開閉構造例を立体図で示す。
図２は、仏壇用折戸での開閉応用例を概略平面図で示す。
先ず、図１の例において自動扉開閉装置本体(１)へ、連結された牽引アーム(２)(３)は、連動しているが、移動方向は正逆となっている。牽引アーム(２)は、永久磁石用牽引シャフト(５)と連結され、永久磁石(７)と一体になる。牽引アーム(３)は、永久磁石用牽引シャフト(４)と連結され、永久磁石(６)と一体になる。一体になった永久磁石(６)は、半貫通ガイド溝(８)へ、また、一体になった永久磁石(７)は、半貫通ガイド溝(９)へと装着する事で、自動扉開閉装置(１)と直結連動する部品を構成する。
図２の例において仏壇用折戸の右側(２０)(２１)平面図で自動扉の開き方を説明する。
自動扉開閉装置(１)と直結連動する右永久磁石(７)は、半貫通ガイド溝(９)の中心線上を、本体側板(１６)に垂直に直線移動する事で、右扉永久磁石(１１)が磁力引力によって、本体側板(１６)に垂直に牽引され移動する。同時に、扉(２０)と扉(２１)は、蝶番(１４)を中心に折れながら、蝶番(１４)は、蝶番(１５)を中心軸とし円弧を描き、本体側板(１６)側に円弧移動する。右扉永久磁石(１１)の中心が本体側板(１６)の中心線上へ達した時に全開状態となる。
【実施例１】
【０００８】
図１は、本発明構造の実施例の仏壇折戸、斜め概観図である。  
【実施例２】
【０００９】
図２は、本発明構造の実施例の仏壇折戸、平面図である。
【産業上の利用可能性】
【００１０】
本発明は、扉装着の手順や取り付け構造上の制約も少ない。意匠上の制約は軽減できる。また、従来の自動扉開閉構造と比較した場合には、美しい扉デザインの可能性が拡がり、美しく滑らかな自動開閉が実現できる。連動する構造部分は外観からは見えない事によって、違和感の無いスッキリとした扉デザインと、画期的な扉取り付け構造への可能性が拡がり、意匠の付加価値と汎用可能性は、家具、仏壇、建材、建具へと大きく期待できる。
【図面の簡単な説明】
【００１１】
【図１】磁力牽引式自動扉牽引構造の概観図である。
【図２】磁力牽引式自動扉牽引構造の折戸平面図である。
【符号の説明】
【００１２】
１  自動扉開閉装置本体(市販品)            ２  右側用・牽引アーム
３  左側用・牽引アーム                    ４  左・永久磁石用・牽引シャフト
５  右・永久磁石用・牽引シャフト          ６  左・永久磁石(Ｎ極)
７  右・永久磁石(Ｓ極)                    ８  左・半貫通ガイド溝
９  右・半貫通ガイド溝                    １０左扉・永久磁石(Ｓ極)
１１右扉・永久磁石(Ｎ極)                  １２左外側・蝶番(ヒンジ)
１３左中央・蝶番(ヒンジ)                  １４右中央・蝶番(ヒンジ)
１５右外側・蝶番(ヒンジ)                  １６本体側板
１７天番(天井)                            １８左外側・扉
１９左中央・扉                            ２０右中央・扉
２１右外側・扉
【図１】
2008101410.tif 000003
【図２】
2008101410.tif 000004